(57)【特許請求の範囲】
【請求項１】
板金棟を屋根の棟頂部に支持する板金棟の支持金具であって、金具本体が上下に長い板状支持片と、この板状支持片の基部に設けられ屋根の野地板に沿って拡開する開脚片と、板状支持片の上端に設けられ板金棟を支承する受け板を保持するための受け板保持部を備えており、更に前記受け板保持部は、上側保持部材と下側保持部材からなり、これらの上下の保持部材間で受け板を挟持するように構成されていることを特徴とする板金棟の支持金具。
【請求項２】
板状支持片は、上下に分離可能な構造となっており、一方の板状支持片には複数個の位置決め用凸部が設けられ、他方の板状支持片には前記位置決め用凸部に係合可能な複数個の位置決め用溝部が設けられて、これらの位置決め用凸部と位置決め用溝部とを任意の位置で係合することにより板状支持片の長さを自在に調整できる構造となっている請求項１に記載の板金棟の支持金具。
【請求項３】
受け板保持部は、下方に向けて傾斜する帯状の上側保持部材と、板状支持片から水平に張り出され、かつ先端部が上に向けて屈曲された断面鉤状の下側保持部材からなり、前記上側保持部材の下面と下側保持部材の先端部とで受け板を保持するように構成されている請求項１に記載の板金棟の支持金具。
【請求項４】
板状支持片は、上下方向に２個以上に分離可能な構造となっており、最上部の板状支持片には上側保持部材が形成され、その下に位置する板状支持片の上端には断面鉤状の下側保持部材が形成されている請求項３に記載の板金棟の支持金具。
【発明の詳細な説明】
【技術分野】
【０００１】
本発明は、軽量で耐震性のある板金棟を支持するための板金棟の支持金具に関するものである。
【背景技術】
【０００２】
最近では、和風家屋の屋根の棟構造として、例えば棟瓦用支持金具を用いて固定する構造が知られている（特許文献１や特許文献２を参照）。
この支持金具３０は、一例を示すと図７に示されるように、上下に長い一対の板金製支持片３１、３１と、その基部に設けられ屋根の野地板に沿って拡開する一対の開脚片３２、３２と、上端に設けられたＵ字状の桟木受け部３３からなっている。この支持金具３０を野地板３４の棟頂部３５にセットした後、桟木受け部３３に桟木３６を装着するとともに、この桟木３６に棟瓦４０を釘等で固定して棟が形成されている。なお、図において、３７はモルタル等、４１は桟瓦である。また、棟瓦４０と桟瓦４１は陶器製のものである。
【０００３】
また従来から、図８に示されるように、野地板３４の棟頂部３５にふき土３８を盛り、このふき土３８の両側面にのし瓦４２を複数枚重ねて固定するとともに、ふき土３８の上に断面円弧状の棟瓦４０を固定するようにした棟構造も公知である。なお、棟瓦４０、桟瓦４１、のし瓦４２は、いずれも陶器製のものである。
【０００４】
以上のような棟構造は和風であり趣があって人気があるが、陶器製の棟瓦を用いているため重量が重く地震があった場合には揺れにより崩壊する危険性があり、耐震性に劣るという問題があった。現に、震災の被害地においては、陶器製の棟瓦が崩壊するという被害が多数発生したことが確認されている。また、陶器製の棟瓦は積雪などによっても割れが発生しやすく、耐久性に乏しいという問題点も指摘されていた。
【０００５】
そこで、陶器製の棟瓦に替え、軽くて強度があり、また安価な板金棟とすることが検討されるようになってきた。しかしながら、和風屋根の棟構造においては、板金棟を用いることは想定されていないため、単純に棟瓦に替えて板金棟を取り付けることはできなかった。そこで、和風屋根の棟構造においても板金棟を簡単かつ確実に支持することができる新たな板金棟の支持金具の開発が望まれていた。
【先行技術文献】
【特許文献】
【０００６】
【特許文献１】特開平９−３０２８５１号公報
【特許文献２】特開平９−１７０２９９号公報
【発明の概要】
【発明が解決しようとする課題】
【０００７】
本発明は上記のような問題点を解決して、軽量で耐震性のある板金棟を簡単かつ確実に支持することができる板金棟の支持金具を提供することを目的として完成されたものである。
【課題を解決するための手段】
【０００８】
上記課題を解決するためになされた本発明の板金棟の支持金具は、板金棟を屋根の棟頂部に支持する板金棟の支持金具であって、金具本体が上下に長い板状支持片と、この板状支持片の基部に設けられ屋根の野地板に沿って拡開する開脚片と、板状支持片の上端に設けられ板金棟を支承する受け板を保持するための受け板保持部を備えており、更に前記受け板保持部は、上側保持部材と下側保持部材からなり、これらの上下の保持部材間で受け板を挟持するように構成されていることを特徴とするものである。
【０００９】
【００１０】
また、前記板状支持片は、上下に分離可能な構造となっており、一方の板状支持片には複数個の位置決め用凸部が設けられ、他方の板状支持片には前記位置決め用凸部に係合可能な複数個の位置決め用溝部が設けられて、これらの位置決め用凸部と位置決め用溝部とを任意の位置で係合することにより板状支持片の長さを自在に調整できる構造となっていることが好ましく、これを請求項２に係る発明とする。
【００１１】
更に、前記受け板保持部は、下方に向けて傾斜する帯状の上側保持部材と、板状支持片から水平に張り出され、かつ先端部が上に向けて屈曲された断面鉤状の下側保持部材からなり、前記上側保持部材の下面と下側保持部材の先端部とで受け板を保持するように構成されていることが好ましく、これを請求項３に係る発明とする。
【００１２】
また、前記板状支持片は、上下方向に２個以上に分離可能な構造となっており、最上部の板状支持片には上側保持部材が形成され、その下に位置する板状支持片の上端には断面鉤状の下側保持部材が形成されていることが好ましく、これを請求項４に係る発明とする。
【発明の効果】
【００１３】
本発明では、金具本体が上下に長い板状支持片と、この板状支持片の基部に設けられ屋根の野地板に沿って拡開する開脚片と、板状支持片の上端に設けられ板金棟を支承する受け板を保持するための受け板保持部を備えているので、前記受け板により板金棟を簡単かつ確実に支持することが可能となる。
【００１４】
また、前記受け板保持部は、上側保持部材と下側保持部材からなり、これらの上下の保持部材間で受け板を挟持するように構成されているので、板金棟を支承するための受け板を容易に保持することができる。
【００１５】
また、請求項２に係る発明では、板状支持片は、上下に分離可能な構造となっており、一方の板状支持片には複数個の位置決め用凸部が設けられ、他方の板状支持片には前記位置決め用凸部に係合可能な複数個の位置決め用溝部が設けられて、これらの位置決め用凸部と位置決め用溝部とを任意の位置で係合することにより板状支持片の長さを自在に調整できるので、受け板の高さを任意に選択でき、種々の形状の棟板金に対応することが可能となる。
【００１６】
また、請求項３に係る発明では、受け板保持部は、下方に向けて傾斜する帯状の上側保持部材と、板状支持片から水平に張り出され、かつ先端部が上に向けて屈曲された断面鉤状の下側保持部材からなり、前記上側保持部材の下面と下側保持部材の先端部とで受け板を保持するように構成されているので、上側保持部材と断面鉤状の下側保持部材を容易に成形加工することができる。
【００１７】
更に、請求項４に係る発明では、板状支持片は、上下方向に２個以上に分離可能な構造となっており、最上部の板状支持片には上側保持部材が形成され、その下に位置する板状支持片の上端には断面鉤状の下側保持部材が形成されているので、断面鉤状の下側保持部材の成形加工をより簡単に行えることとなる。
【図面の簡単な説明】
【００１８】
【図１】本発明の実施の形態を示す分解斜視図である。
【図２】本発明の支持金具を用いた棟構造を示す断面図である。
【図３】図２の斜視図である。
【図４】図３の分解斜視図である。
【図５】その他の実施の形態を示す分解斜視図である。
【図６】図５の支持金具を用いた棟構造を示す断面図である。
【図７】従来例の棟構造を示す正面図である。
【図８】その他の従来例の棟構造を示す正面図である。
【発明を実施するための形態】
【００１９】
以下に、図面を参照しつつ本発明の好ましい実施の形態を示す。
図１は、本発明に係る板金棟の支持金具の一例を示す分解斜視図である。また、図２はこの支持金具を用いた棟構造の断面図、図３は図２の要部の斜視図、図４は図３の分解斜視図である。
【００２０】
本発明は、従来の陶器からなる棟瓦に代わって板金棟を屋根の棟頂部に支持するための板金棟の支持金具であり、この支持金具の金具本体１は、基本的には板状支持片２と、開脚片３と、受け板保持部５を備えた構造となっている。
図１に示すものでは、前記板状支持片２は左右一対に構成され、かつ連結板２ａで連結されて断面コ字状の板状支柱を形成しており、高い強度を保証している。なお、連結構造については任意の構造とすることができることは勿論である。
また、前記板状支持片２を所定以上の強度を有する帯状の１枚板からなるものとすることも可能であり、この場合には、簡単な構造のためより軽量化と低コスト化を図ることができる。なお、１枚板からなるものでは長さが一定であるため、取り付ける板金棟の形状等に合わせて長さの異なるものを数種類準備しておくことが好ましい。
【００２１】
図１に示すものでは、板状支持片２は、上下に分離可能な構造となっており、一方の板状支持片２には複数個の位置決め用凸部３ａが設けられ、他方の板状支持片には前記位置決め用凸部３ａに係合可能な複数個の位置決め用溝部３ｂが設けられたものとなっている。そして、これらの位置決め用凸部３ａと位置決め用溝部３ｂとを任意の位置で係合することにより板状支持片２の長さを自在に調整できる構造となっており、板金棟を最適な位置に取り付けることができるように構成されている。
この場合は、板状支持片２の長さを自在に調整して、種々の形状の棟板金に対応することが可能となる。
【００２２】
また、板状支持片２の基部には屋根の野地板３４に沿って拡開する開脚片４が設けられている。この開脚片４は、屋根の野地板３４の棟頂部３５を中心にして両側の野地板３４に沿うように所定の角度で拡開した状態で設けられ、これにより金具本体１が屋根の棟上にしっかりと固定されるようになっている。
【００２３】
一方、板状支持片２の上端には板金棟２０を支承する受け板２１を保持するための受け板保持部５が設けられている（図２〜図４を参照）。この受け板保持部５は、棟頂部を中心にして両側へ下方向に傾斜した状態で受け板２１を保持するものである。この傾斜角度は、垂線に対し５０〜７０°の角度となるように設定してある。
また図示のものでは、受け板保持部５は、上側保持部材５ａと該上側保持部材５ａよりも短い長さの下側保持部材５ｂからなり、かつ断面コ字状に構成されている。そして、これらの上下の保持部材５ａ、５ｂ間で受け板２１を挟持するように構成されている。なお、受け板保持部５は、いずれか一方のみの保持部材で受け板２１を支承し、釘等で固定する構造とすることもできる。
【００２４】
前記受け板２１は板金棟２０を支承するためのもので、長さは棟の長さと同じであり、巾は板金棟２０の傾斜面の長さと同じであり、厚みは約１０〜２５ｍｍである合成樹脂や木材等からなる帯状板体で構成されている。また、これらの合成樹脂や木材等としては廃材を利用して成形した再生品を用いることが、省エネや地球環境の点で好ましい。
図示のものでは、この受け板２１を断面コ字状に形成した受け板保持部５内に挿し込んだうえ、板金棟２０とともに釘打ちして固定した状態となっている。なお、板金棟２０の下端部には、受け板２１の下端面に沿って折り曲げられたうえ、更に先端を屋根の傾斜に沿って延ばした延長部２２が形成されており、棟方向への雨水の逆流を防止する構造となっている。
【００２５】
更に、前記受け板保持部５は、図５、図６に示すように、下方に向けて傾斜する帯状の上側保持部材５ａと、板状支持片２から水平に張り出され、かつ先端部が上に向けて屈曲された断面鉤状の下側保持部材５ｃからなり、前記上側保持部材５ａの下面と下側保持部材５ｃの先端部とで受け板２１を保持するように構成されているものとすることもできる。
この場合には、前記断面鉤状の下側保持部材５ｃを容易に加工成形することが可能となり好ましい。
【００２６】
また、前記板状支持片２は、上下方向に２個以上（図示のものでは３個）に分離可能な構造となっており、最上部の板状支持片２には上側保持部材５ａが形成され、その下に位置する板状支持片２の上端には断面鉤状の下側保持部材５ｃが形成されたものとなっている。
この場合には、前記断面鉤状の下側保持部材５ｃをより容易に加工成形することが可能となり好ましい。
【００２７】
なお、図５に示すものでは、板状支持片２は、上下方向に３個に分離可能な構造となっており、一の板状支持片２には複数個の位置決め用凸部３ａが設けられ、隣接する板状支持片２には前記位置決め用凸部３ａに係合可能な複数個の位置決め用溝部３ｂが設けられて、これらの位置決め用凸部３ａと位置決め用溝部３ｂとを任意の位置で係合することにより板状支持片の長さを自在に調整できる構造となっているが、より調整巾が大きなものとなっている。
【００２８】
次に、以上のように構成した支持金具を用いて板金棟を屋根の棟頂部に支持する場合につき説明する。
前記金具本体１を棟頂部３５に等間隔で複数個配置・固定する。この時、板状支持片２の長さは取り付ける板金棟２０の大きさや形状に対応させて所定長さのものを用いることを基本とする。図１に示すものでは、板状支持片２が上下に分離可能な構造となっており、位置決め用凸部３ａと位置決め用溝部３ｂとを任意の位置で係合することで板状支持片２の長さを自在に調整できるため、現場で容易に長さ調整ができる。
次いで、金具本体１の受け板保持部５内に受け板２１を挿し込んだ後、この受け板２１上に板金棟２０を載置し、釘等により固定する。
以上の簡単な作業により、板金棟２０を屋根の棟頂部に簡単、かつ確実に取り付けることができることとなる。
なお、図２に示すように、屋根瓦としては従来の和瓦でもよいが、合成樹脂や木質材等からなる軽量の平瓦を組み合わせると、より軽量化を図ることができ好ましい。また、図５に示す金具の場合も同様に使用することができる。
【００２９】
以上の説明からも明らかなように、本発明は軽量で耐震性のある板金棟を簡単かつ確実に支持することができるため重量が軽くなり、地震があった場合にも揺れにより崩壊する危険性が少なく、耐震性を大幅に向上させることができることとなる。また、積雪などによっても割れが発生することがなく、優れた耐久性を奏することとなる。
【符号の説明】
【００３０】
１  金具本体
２  板状支持片
３ａ  位置決め用凸部
３ｂ  位置決め用溝部
４  開脚片
５  受け板保持部
５ａ  上側保持部材
５ｂ  下側保持部材
５ｃ  下側保持部材
２０  板金棟
２１  受け板
２２  延長部
３４  野地板
３５  棟頂部
【図１】
0005927642.tif 000002
【図２】
0005927642.tif 000003
【図３】
0005927642.tif 000004
【図４】
0005927642.tif 000005
【図５】
0005927642.tif 000006
【図６】
0005927642.tif 000007
【図７】
0005927642.tif 000008
【図８】
0005927642.tif 000009